(57)【特許請求の範囲】
【請求項１】
下階建物ユニットの天井梁の中間部の上に、セットバック配置された上階建物ユニットの前面の床梁が搭載されてなるユニット建物の補強構造において、
下階建物ユニットの上記天井梁の中間部と上階建物ユニットの前面の上記床梁とが接合されるとともに、下階建物ユニットにおける上階建物ユニットが搭載されない天井部に補強ブレースが架け渡されてなるものであり、
前記下階建物ユニットの前記天井梁の中間部に接合部材が固定され、この接合部材の上面に前記上階建物ユニットの前記床梁が固定され、かつ、この接合部材に補強ブレースが連結されてなるユニット建物の補強構造。
【請求項２】
前記接合部材が前記下階建物ユニットの相対する中間部のそれぞれに固定されるものであり、これらの接合部材が補強梁の両端に設けられてなる請求項１に記載のユニット建物の補強構造。
【請求項３】
前記接合部材が、Ｃ形鋼からなる本体部のＣ形をなす端面にエンドプレートを備えるとともに、該本体部のウエブの外面に連結プレートを備え、
前記下階建物ユニットの前記天井梁がＣ形鋼からなり、該天井梁の中間部における上下のフランジ間に取付プレートが固定され、
接合部材のエンドプレートが前記下階建物ユニットの前記天井梁に固定された取付プレートに突合わせて取付けられ、
接合部材の本体部の上フランジの上面に前記上階建物ユニットの前面の前記床梁が搭載されて固定され、
接合部材の連結プレートに補強ブレースが連結されてなる請求項１又は２に記載ユニット建物の補強構造。
【請求項４】
前記接合部材の本体部の上フランジの上面から外方に張り出る張り出しプレートを備え、
接合部材の張り出しプレートが前記下階建物ユニットの前記天井梁の上面に添設され、この接合部材の張り出しプレートの上に前記上階建物ユニットの前記床梁が載置され、この張り出しプレートが下階建物ユニットの天井梁と上階建物ユニットの床梁に挟まれるスペーサとされてなる請求項３に記載のユニット建物の補強構造。
【請求項５】
前記接合部材の張り出しプレートが前記下階建物ユニットの前記天井梁と前記上階建物ユニットの前記床梁とともにボルト止めされてなる請求項４に記載のユニット建物の補強構造。
【請求項６】
前記接合部材の本体部のＣ形をなす内面に補強プレートを備えてなる請求項１〜５のいずれかに記載のユニット建物の補強構造。
【請求項７】
前記下階建物ユニットにおける上階建物ユニットが搭載される天井部に補強ブレースが架け渡されてなる請求項１〜６のいずれかに記載のユニット建物の補強構造。
【発明の詳細な説明】
【技術分野】
【０００１】
本発明は、下階建物ユニットの上に、該下階建物ユニットより妻又は桁方向の短い上階建物ユニットをセットバック状態で載せたユニット建物の補強構造に関する。
【背景技術】
【０００２】
ユニット建物において、特許文献１に記載の如く、下階建物ユニットの天井梁の中間部の上にセットバック配置された上階建物ユニットの前面の床梁を搭載してなるものがある。
【０００３】
下階建物ユニットの上にセットバック配置された上階建物ユニットを上述の如くに搭載するユニット建物では、上階建物ユニットに作用する地震力、風圧力等の水平外力Ｐを適切に下階建物ユニットに伝達するため、下階建物ユニットと上階建物ユニットの接合部に、以下の如くの水平構面を設けている。
【０００４】
従来技術１では、図１７に示す如く、下階建物ユニット１の天井フレーム１Ｆの面内で、上階建物ユニット２の前面の床梁２Ａの両端部が搭載される下階建物ユニット１の両側の天井梁１Ａのそれぞれに沿う位置に補強梁Ａを設ける。これにより、下階建物ユニット１と上階建物ユニット２の接合部に水平構面を形成している。上階建物ユニット２に作用する外力Ｐが上述の水平構面により、下階建物ユニット１に荷重Ｒになって伝達される。
【０００５】
従来技術２では、図１８に示す如く、下階建物ユニット１の天井フレーム１Ｆの面内で、上階建物ユニット２の前面の床梁２Ａが長手方向に渡って搭載する位置に補助梁Ｂを設け、下階建物ユニット１の天井部における補助梁Ｂの両側に補強ブレース３を設ける。これにより、下階建物ユニット１と上階建物ユニット２の接合部に水平構面を形成している。上階建物ユニット２に作用する外力Ｐが上述の水平構面により、下階建物ユニット１に荷重Ｒになって伝達される。
【先行技術文献】
【特許文献】
【０００６】
【特許文献１】特開2006-342529
【発明の概要】
【発明が解決しようとする課題】
【０００７】
従来技術１は、水平構面を形成するために補強梁Ａを設けるものであって、部品点数が多く、専用の天井仕様になるために、高コストになる。また、補強梁Ａが、下階建物ユニット１の天井フレーム１Ｆの面内のうち、セットバック配置される上階建物ユニット２の前面の床梁２Ａが搭載される下階建物ユニット１の天井梁１Ａに沿う位置の局部にだけ設けられるものであり、下階建物ユニット１と上階建物ユニット２の接合部に形成される水平構面の剛性、耐力に関する性能の確保に限界がある。
【０００８】
従来技術２は、水平構面を形成するために補助梁Ｂを設けるものであって、部品点数が多く、かつ補助梁Ｂが上階建物ユニット２の前面の床梁２Ａと重複して配置され、専用の天井仕様になるために、高コストになる。
【０００９】
本発明の課題は、下階建物ユニットの天井梁の中間部の上に、セットバック配置された上階建物ユニットの前面の床梁を搭載してなるユニット建物の補強構造において、下階建物ユニットと上階建物ユニットの接合部の全域に、部材の重複なく、簡素に、剛性、耐力に関する必要十分な性能が確保された水平構面を形成することにある。
【課題を解決するための手段】
【００１０】
請求項１に係る発明は、下階建物ユニットの天井梁の中間部の上に、セットバック配置された上階建物ユニットの前面の床梁が搭載されてなるユニット建物の補強構造において、下階建物ユニットの上記天井梁の中間部と上階建物ユニットの前面の上記床梁とが接合されるとともに、下階建物ユニットにおける上階建物ユニットが搭載されない天井部に補強ブレースが架け渡されてなるものであり、前記下階建物ユニットの前記天井梁の中間部に接合部材が固定され、この接合部材の上面に前記上階建物ユニットの前記床梁が固定され、かつ、この接合部材に補強ブレースが連結されてなるようにしたものである。
【００１１】
請求項２に係る発明は、請求項１に係る発明において更に、前記接合部材が前記下階建物ユニットの相対する中間部のそれぞれに固定されるものであり、これらの接合部材が補強梁の両端に設けられてなるようにしたものである。
【００１２】
請求項３に係る発明は、請求項１又は２に係る発明において更に、前記接合部材が、Ｃ形鋼からなる本体部のＣ形をなす端面にエンドプレートを備えるとともに、該本体部のウエブの外面に連結プレートを備え、前記下階建物ユニットの前記天井梁がＣ形鋼からなり、該天井梁の中間部における上下のフランジ間に取付プレートが固定され、接合部材のエンドプレートが前記下階建物ユニットの前記天井梁に固定された取付プレートに突合わせて取付けられ、接合部材の本体部の上フランジの上面に前記上階建物ユニットの前面の前記床梁が搭載されて固定され、接合部材の連結プレートに補強ブレースが連結されてなるようにしたものである。
【００１３】
請求項４に係る発明は、請求項３に係る発明において更に、前記接合部材の本体部の上フランジの上面から外方に張り出る張り出しプレートを備え、接合部材の張り出しプレートが前記下階建物ユニットの前記天井梁の上面に添設され、この接合部材の張り出しプレートの上に前記上階建物ユニットの前記床梁が載置され、この張り出しプレートが下階建物ユニットの天井梁と上階建物ユニットの床梁に挟まれるスペーサとされてなるようにしたものである。
【００１４】
請求項５に係る発明は、請求項３に係る発明において更に、前記接合部材の張り出しプレートが前記下階建物ユニットの前記天井梁と前記上階建物ユニットの前記床梁とともにボルト止めされてなるようにしたものである。
【００１５】
請求項６に係る発明は、請求項１〜５のいずれかに係る発明において更に、前記接合部材の本体部のＣ形をなす内面に補強プレートを備えてなるようにしたものである。
【００１６】
請求項７に係る発明は、請求項１〜６のいずれかに係る発明において更に、前記下階建物ユニットにおける上階建物ユニットが搭載される天井部に補強ブレースが架け渡されてなるようにしたものである。
【発明の効果】
【００２０】
（請求項１）
(a)セットバック配置される上階建物ユニットの前面の床梁が搭載する下階建物ユニットの両側の天井梁の中間部に、上階建物ユニットの前面の該床梁が接合される。これにより、下階建物ユニットにおいて上階建物ユニットが搭載されない天井部に、下階建物ユニットの上記の両側の天井梁、及びこれらの天井梁に接続されている天井梁と、上階建物ユニットの前面の床梁とからなる水平構面Ｊのための枠組が形成される。上階建物ユニットの前面の床梁と重複する補助梁を下階建物ユニットの天井面内に設けることなく、下階建物ユニットと上階建物ユニットの接合部に水平構面Ｊのための枠組を形成できる。
【００２１】
更に、下階建物ユニットにおいて上階建物ユニットが搭載されない天井部に上述の如くに形成された水平構面Ｊのための枠組内に補強ブレースを架け渡す場合には、高い剛性、耐力が確保された水平構面Ｊを形成するものになる。
【００２２】
(b)セットバック配置された上階建物ユニットの床部は、上述(a)の補強ブレースが架け渡された水平構面Ｊの枠組の一部である床梁を含み、かつ床根太、床面材を備える等により、水平構面Ｊの側傍にて高い剛性、耐力が確保された水平構面Ｋを形成するものになる。
【００２３】
(c)上述(a)、(b)により、下階建物ユニットと上階建物ユニットの接合部において相隣る水平構面Ｊと水平構面Ｋを複合一体化するものになる。従って、下階建物ユニットと上階建物ユニットの接合部の全域に、部材の重複なく、簡素に、剛性、耐力に関する必要十分な性能が確保された水平構面Ｊ、Ｋを形成し、上階建物ユニットに作用する地震力、風圧力等の水平外力Ｐを適切に下階建物ユニットに伝達することができる。
【００２４】
(d)前記下階建物ユニットの前記天井梁の中間部に接合部材を固定し、この接合部材の上面に前記上階建物ユニットの前記床梁を固定し、更に、この接合部材に補強ブレースを連結することもできる。
【００２５】
これにより、セットバック配置される上階建物ユニットの前面の床梁が搭載する下階建物ユニットの両側の天井梁の中間部と、上階建物ユニットの前面の該床梁とが、接合部材により確実に接合され、水平構面Ｊのための枠組が簡易に形成される。
【００２６】
そして、接合部材に補強ブレースを連結することにより、水平構面Ｊのための枠組内に補強ブレースを簡易に架け渡すことができる。
【００２７】
（請求項２）
(e)前記接合部材が前記下階建物ユニットの相対する中間部のそれぞれに固定されるものであり、これらの接合部材が補強梁の両端に設けられる。
【００２８】
セットバック配置される上階建物ユニットの妻面（短手面）の床梁が、下階建物ユニットの両側の長い天井梁の中間部に搭載されるとき、上階建物ユニットの鉛直荷重や、上階建物ユニットの桁面（長手面）に作用する風圧力等の水平荷重に起因するモーメントが下階建物ユニットの上記の長い天井梁の中間部に作用しても、両端の接合部材が連結している補強梁によりこの長い天井梁を補強できる。上階建物ユニットの荷重を安全に下階建物ユニットに伝達でき、プランの自由度を向上できる。
【００２９】
（請求項３）
(f)前記接合部材が、Ｃ形鋼からなる本体部のＣ形をなす端面にエンドプレートを備えるとともに、該本体部のウエブの外面に連結プレートを備え、前記下階建物ユニットの前記天井梁がＣ形鋼からなり、該天井梁の中間部における上下のフランジ間に取付プレートを固定し、接合部材のエンドプレートを前記下階建物ユニットの前記天井梁に固定した取付プレートに突合わせて取付け、接合部材の本体部の上フランジの上面に前記上階建物ユニットの前面の前記床梁を搭載して固定し、接合部材の連結プレートに補強ブレースを連結する。
【００３０】
これにより、高さレベルの異なる下階建物ユニットの天井梁の中間部と、上階建物ユニットの前面の床梁とを、接合部材により確実に接合できる。また、下階建物ユニットにおいて上階建物ユニットが搭載されない天井部に形成された水平構面Ｊのための枠組内に、補強ブレースを簡易に架け渡すことができる。
【００３１】
（請求項４）
(g)前記接合部材の本体部の上フランジの上面から外方に張り出る張り出しプレートを備え、接合部材の張り出しプレートを前記下階建物ユニットの前記天井梁の上面に添設し、この接合部材の張り出しプレートの上に前記上階建物ユニットの前記床梁を載置し、この張り出しプレートを下階建物ユニットの天井梁と上階建物ユニットの床梁に挟まれるスペーサとしてなる。
【００３２】
これにより、接合部材に設けた張り出しプレートを下階建物ユニットの天井梁と上階建物ユニットの床梁の隙間を埋めてそれらの天井梁、床梁を強固に接合するスペーサとして用いることができる。
【００３３】
（請求項５）
(h)前記接合部材の張り出しプレートが前記下階建物ユニットの前記天井梁と前記上階建物ユニットの前記床梁とともにボルト止めされる。
【００３４】
これにより、接合部材のＣ形鋼からなる本体部が張り出しプレートを介して下階建物ユニットの天井梁と上階建物ユニットの床梁に確実に固定され、水平構面Ｊ、Ｋの剛性、耐力を確保できる。
【００３５】
（請求項６）
(i)前記接合部材の本体部のＣ形をなす内面に補強プレートを備える。
これにより、接合部材のＣ形鋼からなる本体部を補強し、水平構面Ｊ、Ｋの剛性、耐力を確保できる。
【００３６】
（請求項７）
(j)前記下階建物ユニットにおける上階建物ユニットが搭載される天井部に補強ブレースを架け渡す。
【００３７】
これにより、下階建物ユニットにおいて上階建物ユニットが搭載される天井部にも、高い剛性、耐力が確保された水平構面Ｌを形成し、下階建物ユニットと上階建物ユニットの接合部において相隣る水平構面Ｊと水平構面Ｋと水平構面Ｌを複合一体化するものになる。従って、水平構面Ｊ、Ｋ、Ｌを形成し、上階建物ユニットに作用する地震力、風圧力等の水平外力Ｐを一層適切に下階建物ユニットに伝達することができる。
【図面の簡単な説明】
【００３８】
【図１】図１はユニット建物を示す模式図である。
【図２】図２は下階建物ユニットを示す模式図である。
【図３】図３は上階建物ユニットを示す模式図である。
【図４】図４はユニット建物の補強構造を示す平面図である。
【図５】図５は図４の要部を拡大して示す平面図である。
【図６】図６は図５のVI−VI線に沿う正面図である。
【図７】図７は図５のVII−VII線に沿う側面図である。
【図８】図８はユニット建物の補強構造の要部を分解して示す斜視図である。
【図９】図９は図８のIX方向に沿う矢視図である。
【図１０】図１０はユニット建物の補強構造の変形例を示す正面図である。
【図１１】図１１はユニット建物の補強構造の変形例を示す側面図である。
【図１２】図１２はユニット建物の補強構造の他の変形例を示す正面図である。
【図１３】図１３はユニット建物の補強構造の他の変形例を示す側面図である。
【図１４】図１４はユニット建物の補強構造における補強ブレース取付部の変形例を示す模式図である。
【図１５】図１５はユニット建物の補強構造の変形例を分解して示す斜視図である。
【図１６】図１６は図１５のXVI方向に沿う矢視図である。
【図１７】図１７は従来技術１を示す模式図である。
【図１８】図１８は従来技術２を示す模式図である。
【図１９】図１９はユニット建物の他の例を示す模式図である。
【図２０】図２０はユニット建物の補強構造を示す要部斜視図である。
【図２１】図２１は両端接合部材が設けられた補強梁を示す平面図である。
【図２２】図２２はユニット建物の補強構造の要部を分解して示す斜視図である。
【図２３】図２３はユニット建物の補強構造の変形例を示す斜視図である。
【図２４】図２４はユニット建物の補強構造の変形例を示す斜視図である。
【発明を実施するための形態】
【００３９】
図１に示したユニット建物１００は、建物の一部を取出して示したものであり、建物の一部において、下階建物ユニット１０の上に、セットバック配置された上階建物ユニット２０を搭載して構築されるものである。
【００４０】
下階建物ユニット１０は、図２に示す如く、各４本の床梁１１、柱１２、天井梁１３を直方体状に接合した骨組構造体であり、柱１２の柱脚に接続ピース１２Ａを介して床梁１１を接合し、柱１２の柱頭に接続ピース１２Ｂを介して天井梁１３を接合している。
【００４１】
上階建物ユニット２０は、図３に示す如く、各４本の床梁２１、柱２２、天井梁２３を直方体状に接合した骨組構造体であり、柱２２の柱脚に接続ピース２２Ａを介して床梁２１を接合し、柱２２の柱頭に接続ピース２２Ｂを介して天井梁２３を接合している。
【００４２】
下階建物ユニット１０とセットバック配置された上階建物ユニット２０は、それらの桁方向長さ（長辺側の床梁１１と天井梁１３の長さ、床梁２１と天井梁２３の長さ）を同じにし、セットバック配置された上階建物ユニット２０の妻方向長さ（短辺側の床梁２１と天井梁２３の長さ）を下階建物ユニット１０の妻方向長さ（短辺側の床梁１１と天井梁１３の長さ）より小さくしている。
【００４３】
ユニット建物１００は、下階建物ユニット１０の妻側天井梁１３（短辺側の天井梁１３）の中間部の上に、セットバック配置された上階建物ユニット２０の桁側前面（長辺側の床梁２１と天井梁２３を含む前面）の床梁２１を搭載している。これにより、セットバック配置された上階建物ユニット２０の前面は下階建物ユニット１０の前面に対しそれらの妻方向長さの差分だけ後退配置される。図１のユニット建物１００は、１階建物ユニット１０の上に２階のセットバック配置された上階建物ユニット２０を搭載したものであるが、本発明では、２階建物ユニット１０の上に３階のセットバック配置された上階建物ユニット２０を搭載するもの等であっても良い。
【００４４】
ユニット建物１００は、下階建物ユニット１０と上階建物ユニット２０の接合部の全域に、部材の重複なく、簡素に、剛性、耐力に関する必要十分な性能が確保された水平構面を形成するため、以下の補強構造を有する。
【００４５】
ユニット建物１００は、図４に示す如く、下階建物ユニット１０の妻側天井梁１３の中間部と上階建物ユニット２０の前面の桁側床梁２１とを接合するとともに、下階建物ユニット１０における上階建物ユニット２０が搭載されない天井部１０ＡにＸ字状をなす補強ブレース１４、１４を架け渡す。
【００４６】
このとき、ユニット建物１００は、下階建物ユニット１０の左右の妻側天井梁１３の中間部のそれぞれに左右の接合部材３０を固定し、左右の接合部材３０に上階建物ユニット２０の前面の桁側床梁２１の左右両端部のそれぞれを固定する。更に、左右の接合部材３０のそれぞれにＸ字状をなす補強ブレース１４、１４の各一端を連結する。
【００４７】
ユニット建物１００の補強構造は、具体的には以下の通りである（図５〜図９）。
(1)接合部材３０は、Ｃ形鋼からなる本体部３１を有し、本体部３１のＣ形をなす一端面に平板状エンドプレート３２を溶接して備えるとともに、本体部３１のウエブの外面に平板状連結プレート３３を溶接して備える。
【００４８】
接合部材３０は、本体部３１の上フランジの上面に平板状上プレート３４を溶接して備えるとともに、本体部３１の上フランジの上面から外方に張り出る平板状張り出しプレート３５を溶接して備える。
【００４９】
接合部材３０は、本体部３１のＣ形をなす内面に各平板状の補強プレート３６、３７を備える。補強プレート３６の上下の端面が本体部３１のエンドプレート３２が設けられない他端面寄りのＣ形をなす内面のうち、上下のフランジの内面に溶接して固定される。補強プレート３７の長手方向に沿う一側縁が本体部３１のＣ形をなす内面のうち、ウエブの高さ方向中間部の内面に溶接して固定されるとともに、補強プレート３７の左右の両端面がエンドプレート３２と補強プレート３６のそれぞれに溶接して固定される。
【００５０】
(2)下階建物ユニット１０の左右の妻側天井梁１３がＣ形鋼からなり、該天井梁１３の中間部における上下のフランジ間に取付プレート４０を固定する。取付プレート４０は、Ｃ形鋼からなる本体部４１を有し、本体部４１の上下両端部寄りの内面にスチフナ４２、４３を溶接して備える。本体部４１の上下の両端面が天井梁１３の中間部における上下のフランジの内面に溶接して固定される。
【００５１】
(3)左右の接合部材３０のエンドプレート３２が下階建物ユニット１０の左右の妻側天井梁１３に固定してある取付プレート４０のウエブの外面に突合せて取付けられる。この取付けは、エンドプレート３２と取付プレート４０に設けてある上下２個のボルト挿通孔に挿通されるボルト５１、ナット５１Ａによる。
【００５２】
同時に、左右の接合部材３０の張り出しプレート３５が下階建物ユニット１０の左右の妻側天井梁１３の上フランジの上面に添設される。
【００５３】
(4)下階建物ユニット１０の上に上階建物ユニット２０を搭載する。
このとき、左右の接合部材３０の本体部３１の上フランジの上面に備えてある上プレート３４の上に、上階建物ユニット２０の前面の桁側床梁２１の左右両端部を搭載して固定する。この固定は、本体部３１の上フランジ及び上プレート３４と床梁２１の接続ピース２２Ａに設けてあるボルト挿通孔に挿通されるボルト５２、ナット５２Ａ、座金５２Ｂ、５２Ｃによる。
【００５４】
同時に、下階建物ユニット１０の左右の妻側天井梁１３の上面に添設済の左右の接合部材３０の張り出しプレート３５の上に上階建物ユニット２０の左右の桁側床梁２１を載置し、この張り出しプレート３５を下階建物ユニット１０の天井梁１３と上階建物ユニット２０の床梁２１に挟まれるスペーサとする。更に、この張り出しプレート３５が下階建物ユニット１０の天井梁１３と上階建物ユニット２０の床梁２１に挟まれてボルト止めされ、天井梁１３と床梁２１の隙間を埋めてそれらの天井梁１３、床梁２１を強固に接合する。このボルト止めは、天井梁１３の接続ピース１２Ｂと床梁２１の接続ピース２２Ａと張り出しプレート３５に設けてあるボルト挿通孔に挿通されるボルト５３、ナット５３Ａ、座金５３Ｂ、５３Ｃによる。
【００５５】
(5)左右の接合部材３０の連結プレート３３にＸ字状をなす補強ブレース１４、１４のそれぞれを連結する。この連結は、各補強ブレース１４の一端に備えられている連結板１４Ａと連結プレート３３に設けてあるボルト挿通孔に挿通されるボルト５４、ナット５４Ａによる。
【００５６】
各補強ブレース１４の他端は、図４に示す如く、下階建物ユニット１０における上階建物ユニット２０が搭載されない天井部１０Ａにおいて、妻側天井梁１３と桁側天井梁１３が交差するコーナー部に位置する柱１２に溶接されている連結プレート１２Ｃに連結される。
【００５７】
これにより、ユニット建物１００は、下階建物ユニット１０と上階建物ユニット２０の接合部に、図１（Ａ）に示される水平構面Ｊと水平構面Ｋとを形成するものになる。
【００５８】
尚、下階建物ユニット１０は、図６、図７に示す如く、天井梁１３に天井根太１３Ａを備え、天井根太１３Ａの下部に天井面材１３Ｂを設けている。接合部材３０の連結プレート３３は、連結プレート３３に連結される補強ブレース１４が天井根太１３Ａに干渉することのない高さ位置に設定される。
【００５９】
即ち、本実施例によれば以下の作用効果を奏する。
(a)セットバック配置される上階建物ユニット２０の前面の床梁２１が搭載する下階建物ユニット１０の両側の天井梁１３の中間部に、上階建物ユニット２０の前面の該床梁２１が接合される。これにより、下階建物ユニット１０において上階建物ユニット２０が搭載されない天井部１０Ａに、下階建物ユニット１０の上記の両側の天井梁１３、及びこれらの天井梁１３に接続されている天井梁１３と、上階建物ユニット２０の前面の床梁２１とからなる水平構面Ｊのための枠組が形成される。上階建物ユニット２０の前面の床梁２１と重複する補助梁を下階建物ユニット１０の天井面内に設けることなく、下階建物ユニット１０と上階建物ユニット２０の接合部に水平構面Ｊのための枠組を形成できる。
【００６０】
更に、下階建物ユニット１０において上階建物ユニット２０が搭載されない天井部１０Ａに上述の如くに形成された水平構面Ｊのための枠組内に補強ブレース１４を架け渡すことにより、高い剛性、耐力が確保された水平構面Ｊを形成するものになる。
【００６１】
(b)セットバック配置された上階建物ユニット２０の床部は、上述(a)の補強ブレース１４が架け渡された水平構面Ｊの枠組の一部である床梁２１を含み、かつ床根太、床面材を備える等により、水平構面Ｊの側傍にて高い剛性、耐力が確保された水平構面Ｋを形成するものになる。
【００６２】
(c)上述(a)、(b)により、下階建物ユニット１０と上階建物ユニット２０の接合部において相隣る水平構面Ｊと水平構面Ｋを複合一体化するものになる。従って、下階建物ユニット１０と上階建物ユニット２０の接合部の全域に、部材の重複なく、簡素に、剛性、耐力に関する必要十分な性能が確保された水平構面Ｊ、Ｋを形成し、上階建物ユニット２０に作用する地震力、風圧力等の水平外力Ｐを適切に下階建物ユニット１０に伝達することができる。
【００６３】
(d)前記下階建物ユニット１０の前記天井梁１３の中間部に接合部材３０を固定し、この接合部材３０に前記上階建物ユニット２０の前記床梁２１を固定し、更に、この接合部材３０に補強ブレース１４を連結する。
【００６４】
これにより、セットバック配置される上階建物ユニット２０の前面の床梁２１が搭載する下階建物ユニット１０の両側の天井梁１３の中間部と、上階建物ユニット２０の前面の該床梁２１とが、接合部材３０により確実に接合され、水平構面Ｊのための枠組が簡易に形成される。
【００６５】
そして、接合部材３０に補強ブレース１４を連結することにより、水平構面Ｊのための枠組内に補強ブレース１４を簡易に架け渡すことができる。
【００６６】
(e)前記接合部材３０が、Ｃ形鋼からなる本体部３１のＣ形をなす端面にエンドプレート３２を備えるとともに、該本体部３１のウエブの外面に連結プレート３３を備え、前記下階建物ユニット１０の前記天井梁１３がＣ形鋼からなり、該天井梁１３の中間部における上下のフランジ間に取付プレート４０を固定し、接合部材３０のエンドプレート３２を前記下階建物ユニット１０の前記天井梁１３に固定した取付プレート４０に突合わせて取付け、接合部材３０の本体部３１の上フランジの上面に前記上階建物ユニット２０の前面の前記床梁２１を搭載して固定し、接合部材３０の連結プレート３３に補強ブレース１４を連結する。
【００６７】
これにより、高さレベルの異なる下階建物ユニット１０の天井梁１３の中間部と、上階建物ユニット２０の前面の床梁２１とを、接合部材３０により確実に接合できる。また、下階建物ユニット１０において上階建物ユニット２０が搭載されない天井部１０Ａに形成された水平構面Ｊのための枠組内に、補強ブレース１４を簡易に架け渡すことができる。
【００６８】
(f)前記接合部材３０の本体部３１の上フランジの上面から外方に張り出る張り出しプレート３５を備え、接合部材３０の張り出しプレート３５を前記下階建物ユニット１０の前記天井梁１３の上面に添設し、この接合部材３０の張り出しプレート３５の上に前記上階建物ユニット２０の前記床梁２１を載置し、この張り出しプレート３５を下階建物ユニット１０の天井梁１３と上階建物ユニット２０の床梁２１に挟まれるスペーサとしてなる。
【００６９】
これにより、接合部材３０に設けた張り出しプレート３５を下階建物ユニット１０の天井梁１３と上階建物ユニット２０の床梁２１の隙間を埋めてそれらの天井梁１３、床梁２１を強固に接合するスペーサとして用いることができる。
【００７０】
(g)前記接合部材３０の張り出しプレート３５が前記下階建物ユニット１０の前記天井梁１３と前記上階建物ユニット２０の前記床梁２１とともにボルト止めされる。
【００７１】
これにより、接合部材３０のＣ形鋼からなる本体部３１が張り出しプレート３５を介して下階建物ユニット１０の天井梁１３と上階建物ユニット２０の床梁２１に確実に固定され、水平構面Ｊ、Ｋの剛性、耐力を確保できる。
【００７２】
(h)前記接合部材３０の本体部３１のＣ形をなす内面に補強プレート３６、３７を備える。
これにより、接合部材３０のＣ形鋼からなる本体部３１を補強し、水平構面Ｊ、Ｋの剛性、耐力を確保できる。
【００７３】
図１０、図１１に示す変形例が、前記図４〜図９に示した実施例と異なる点は、左右の接合部材３０の本体部３１に設けた補強プレート３７を該本体部３１のＣ形をなす内面から外方にまで延在させ、補強ブレース１５、１５のための連結プレート３８としたことにある。
【００７４】
即ち、下階建物ユニット１０における上階建物ユニット２０が搭載される天井部１０Ｂにおいて、Ｘ字状をなす補強ブレース１５、１５のそれぞれが左右の接合部材３０の連結プレート３８に連結される。この連結は、各補強ブレース１５の一端に備えられている連結板１５Ａと連結プレート３８に設けてあるボルト挿通孔に挿通されるボルト５５、ナット５５Ａによる。
【００７５】
各補強ブレース１５の他端は、下階建物ユニット１０の天井部１０Ｂにおいて、妻側天井梁１３と桁側天井梁１３が交差するコーナー部に位置する柱１２に溶接されている連結プレート（不図示）に連結される。
【００７６】
これにより、ユニット建物１００は、下階建物ユニット１０と上階建物ユニット２０の接合部に、図１（Ｂ）に示される水平構面Ｊ、Ｋと水平構面Ｌとを形成するものになる。
【００７７】
従って、本変形例によれば、前記実施例における前述(a)〜(g)の作用効果に加え、以下の作用効果を奏する。
【００７８】
即ち、下階建物ユニット１０において上階建物ユニット２０が搭載される天井部１０Ｂにも、高い剛性、耐力が確保された水平構面Ｌを形成し、下階建物ユニット１０と上階建物ユニット２０の接合部において相隣る水平構面Ｊと水平構面Ｋと水平構面Ｌを複合一体化するものになる。従って、水平構面Ｊ、Ｋ、Ｌを形成し、上階建物ユニット２０に作用する地震力、風圧力等の水平外力Ｐを一層適切に下階建物ユニット１０に伝達することができる。
【００７９】
図１２、図１３に示す変形例が、前記図４〜図９に示した実施例と異なる点は、下階建物ユニット１０の天井梁１３に備える天井根太１３Ａの成の高さが大きいことに対応し、接合部材３０の本体部３１に備える連結プレート３３の高さ位置をより高位置に設定したことにある。連結プレート３３に連結される補強ブレース１４が天井根太１３Ａに干渉することを確実に回避できる。
【００８０】
図１４は、接合部材３０の本体部３１に対する連結プレート３３、３８の設定例を示したものである。（Ａ）は片側補強ブレース１４のための連結プレート３３を標準高さ位置に設定した例、（Ｂ）は両側補強ブレース１４、１５のための連結プレート３３、３８を標準高さ位置に設定した例、（Ｃ）は片側補強ブレース１４のための連結プレート３３を高位置に設定した例、（Ｄ）は両側補強ブレース１４、１５のための連結プレート３３、３８を高位置に設定した例、（Ｅ）は補強ブレース１４のための連結プレート３３を高位置に、補強ブレース１５のための連結プレート３８を標準高さ位置に設定した例である。図１４（Ｃ）〜（Ｅ）（図１２も同じ）において、３９は補強ブレース１４、１５が及ぼす張力に対し、本体部３１を補強するために、本体部３１のＣ形の内面に溶接した補強材である。
【００８１】
図１５、図１６は、図８、図９に示した補強構造の変形例であり、図８、図９における接合部材３０の張り出しプレート３５を図１５、図１６における張り出しプレート３５Ａとスペーサ３５Ｂに分割したものである。即ち、接合部材３０の張り出しプレート３５Ａは、平板状をなし、本体部３１の上フランジの上面に溶接されて外方に張り出る。接合部材３０の張り出しプレート３５Ａを下階建物ユニット１０の天井梁１３の上面に添設し、その張り出しプレート３５Ａの上に上階建物ユニット２０の床梁２１を載置し、その張り出しプレート３５Ａを下階建物ユニット１０の天井梁１３と上階建物ユニット２０の床梁２１に挟まれるスペーサとする。その張り出しプレート３５Ａは下階建物ユニット１０の天井梁１３と上階建物ユニット２０の床梁２１にボルト止めされない。他方、スペーサ３５Ｂは、張り出しプレート３５Ａの側傍において、下階建物ユニット１０の天井梁１３と上階建物ユニット２０の床梁２１に挟まれてボルト止めされ、下階建物ユニット１０の天井梁１３と上階建物ユニット２０の床梁２１の隙間を埋めてそれらの天井梁１３、床梁２１を強固に接合する。
【００８２】
図１９〜図２２に示す実施例が、前記図１〜図９に示した実施例と異なる点は、ユニット建物１００において、セットバック配置される上階建物ユニット２０の妻面（短手面）の床梁２１を、下階建物ユニット１０の両側の長い天井梁１３の中間部に搭載したことにある。そして、両端に接合部材２３０を設けた補強梁２１０を用意し、補強梁２１０の両端の接合部材２３０を上述した下階建物ユニット１０の相対する両側の長い天井梁１３の中間部のそれぞれに固定した。
【００８３】
ユニット建物１００の補強構造は、具体的には以下の通りである（図１９〜図２２）。
(1)上下２枚の長尺板２１１、２１１により補強梁２１０を構成するものとする。
【００８４】
(2)補強梁２１０の上下の長尺板２１１、２１１の両端部のそれぞれに接合部材２３０を設ける。
【００８５】
接合部材２３０は、上下の長尺板２１１、２１１の端部を本体部２３１とする。本体部２３１の一端部の上下の長尺板２１１、２１１の間に溶接した平板状エンドプレート２３２を備えるとともに、本体部２３１の他端部の上下の長尺板２１１、２１１の間に溶接した平板状補強プレート２３６を備える。
【００８６】
接合部材２３０は、エンドプレート２３２と補強プレート２３６の相対する内面に三角状取付板２３３Ａ、２３３Ｂを溶接し、これらの取付板２３３Ａ、２３３Ｂに溶接される平板状連結プレート２３３を備える。
【００８７】
接合部材２３０は、上長尺板２１１と取付板２３３Ａ、２３３Ｂの間に位置する、エンドプレート２３２と補強プレート２３６の相対する内面に平板状連結プレート２３８を溶接して備える。このとき、連結プレート２３８の上面に溶接された平板状上プレート２３４が上長尺板２１１の下面に添設される。
【００８８】
接合部材２３０は、上長尺板２１１の上面に溶接されて外方に張り出る平板状張り出しプレート２３５を備える。
【００８９】
(3)図９におけると同様に、下階建物ユニット１０の左右の妻側天井梁１３がＣ形鋼からなり、該天井梁１３の中間部における上下のフランジ間に取付プレート４０を固定する。
【００９０】
(4)補強梁２１０の左右の両端の接合部材２３０のエンドプレート２３２が下階建物ユニット１０の左右の桁側天井梁１３に固定してある取付プレート４０のウエブの外面に突合せて取付けられる。この取付けは、エンドプレート２３２と取付プレート４０に設けてある上下２個のボルト挿通孔に挿通されるボルト、ナットによる。
【００９１】
同時に、補強梁２１０の左右両端の接合部材２３０の張り出しプレート２３５が下階建物ユニット１０の左右の桁側天井梁１３の上フランジの上面に添設される。
【００９２】
(5)下階建物ユニット１０の上に上階建物ユニット２０を搭載する。
このとき、補強梁２１０の左右両端の接合部材２３０の本体部２３１の上面に備えてある上プレート２３４の上に、上階建物ユニット２０の妻面の妻側床梁２１の左右両端部を搭載して固定する。この固定は、本体部２３１及び上プレート２３４と床梁２１の接続ピース２２Ａに設けてあるボルト挿通孔に挿通されるボルト、ナット、座金による。
【００９３】
同時に、下階建物ユニット１０の左右の桁側天井梁１３の上面に添設済の左右の接合部材２３０の張り出しプレート２３５の上に上階建物ユニット２０の左右の妻側床梁２１を載置し、この張り出しプレート２３５を下階建物ユニット１０の天井梁１３と上階建物ユニット２０の床梁２１に挟まれるスペーサとする。更に、この張り出しプレート２３５が下階建物ユニット１０の天井梁１３と上階建物ユニット２０の床梁２１に挟まれてボルト止めされ、天井梁１３と床梁２１の隙間を埋めてそれらの天井梁１３、床梁２１を強固に接合する。このボルト止めは、天井梁１３の接続ピース１２Ｂと床梁２１の接続ピース２２Ａと張り出しプレート２３５に設けてあるボルト挿通孔に挿通されるボルト、ナット、座金による。
【００９４】
(6)補強梁２１０の左右両端の接合部材２３０の連結プレート２３３にＸ字状をなす補強ブレース１４、１４のそれぞれを連結する。この連結は、各補強ブレース１４の一端に備えられている連結板１４Ａ（図８参照）と連結プレート２３３に設けてあるボルト挿通孔に挿通されるボルト、ナットによる。
【００９５】
各補強ブレース１４の他端は、下階建物ユニット１０における上階建物ユニット２０が搭載されない天井部１０Ａにおいて、妻側天井梁１３と桁側天井梁１３が交差するコーナー部に位置する柱１２に溶接されている連結プレート１２Ｃに連結される（図１９（Ｂ））。
【００９６】
(7)下階建物ユニット１０における上階建物ユニット２０が搭載される天井部１０Ｂにおいて、Ｘ字状をなす補強ブレース１５、１５のそれぞれが左右の接合部材２３０の連結プレート２３８に連結される。この連結は、各補強ブレース１５の一端に備えられている連結板１５Ａ（図１０参照）と連結プレート２３８に設けてあるボルト挿通孔に挿通されるボルト、ナットによる。
【００９７】
各補強ブレース１５の他端は、下階建物ユニット１０の天井部１０Ｂにおいて、妻側天井梁１３と桁側天井梁１３が交差するコーナー部に位置する柱１２に溶接されている連結プレート（不図示）に連結される。
【００９８】
これにより、ユニット建物１００は、下階建物ユニット１０と上階建物ユニット２０の接合部に、図１９（Ｂ）に示される水平構面Ｊ、Ｋと水平構面Ｌとを形成するものになる。
【００９９】
尚、ユニット建物１００は、下階建物ユニットの天井部１０Ａ、１０Ｂの両方、又はいずれか一方において、補強ブレースを設けないものとすることもできる。
【０１００】
図１９〜図２２に示した実施例によれば、セットバック配置される上階建物ユニット２０の妻面（短手面）の床梁２１が、下階建物ユニット１０の両側の長い天井梁１３の中間部に搭載されるとき、上階建物ユニット２０の鉛直荷重や、上階建物ユニット２０の桁面（長手面）に作用する風圧力等の水平荷重に起因するモーメントが下階建物ユニット１０の上記の長い天井梁１３の中間部に作用しても、両端の接合部材２３０が連結している補強梁２１０によりこの長い天井梁１３を補強できる。上階建物ユニット２０の荷重を安全に下階建物ユニット１０に伝達でき、プランの自由度を向上できる。
【０１０１】
図２３は図９に示したユニット建物の補強構造の変形例を示す斜視図である。図２３の変形例が図９に示した実施例と異なる点は、接合部材３０において、本体部３１のＣ形をなす内面に設けた補強プレート３７を、２枚の概ね三角形状平板からなる補強プレート３７Ａ、３７Ｂに変更したことにある。補強プレート３７Ａは相直交する２辺のそれぞれが本体部３１のウエブの高さ方向中間部の内面とエンドプレート３２のそれぞれに溶接されて固定される。補給プレート３７Ｂは相直交する２辺のそれぞれが本体部３１のウエブの高さ方向中間部の内面と補強プレート３６のそれぞれに溶接されて固定される。これにより、接合部材３０のエンドプレート３２を天井梁１３の取付プレート４０に取付けるボルト接合作業と、接合部材３０の本体部３１及び上プレート３４を用いる下階建物ユニット１０と上階建物ユニット２０のボルト接合作業のそれぞれにおいて、作業スペースを拡大し、作業性を改善できる。
【０１０２】
図２４は図１６に示したユニット建物の補強構造の変形例を示す斜視図である。図２４の変形例も、図２３の変形例と同様に、接合部材３０において、本体部３１のＣ形をなす内面に設けた取付プレート３７を、２枚の概ね三角形状平板からなる補強プレート３７Ａ、３７Ｂに変更したものである。
【０１０３】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【０１０４】
本発明は、下階建物ユニットの天井梁の中間部の上に、セットバック配置された上階建物ユニットの前面の床梁を搭載してなるユニット建物の補強構造において、下階建物ユニットの上記天井梁の中間部と上階建物ユニットの前面の上記床梁とを接合するとともに、下階建物ユニットにおける上階建物ユニットが搭載されない天井部に補強ブレースを架け渡してなるものである。これにより、下階建物ユニットと上階建物ユニットの接合部の全域に、部材の重複なく、簡素に、剛性、耐力に関する必要十分な性能が確保された水平構面を形成することができる。
【符号の説明】
【０１０５】
１０  下階建物ユニット
１０Ａ、１０Ｂ  天井部
１３  天井梁
１４、１５  補強ブレース
２０  上階建物ユニット
２１  床梁
３０  接合部材
３１  本体部
３２  エンドプレート
３３  連結プレート
３４  上プレート
３５、３５Ａ  張り出しプレート
３６、３７、３７Ａ、３７Ｂ  補強プレ−ト
３８  連結プレート
４０  取付プレート
１００  ユニット建物
２１０  補強梁
２３０  接合部材
２３１  本体部
２３２  エンドプレート
２３３  連結プレート
２３４  上プレート
２３５  張り出しプレート
２３６  補強プレート
２３８  連結プレート
【図１】
0006034040.tif 000002
【図２】
0006034040.tif 000003
【図３】
0006034040.tif 000004
【図４】
0006034040.tif 000005
【図５】
0006034040.tif 000006
【図６】
0006034040.tif 000007
【図７】
0006034040.tif 000008
【図８】
0006034040.tif 000009
【図９】
0006034040.tif 000010
【図１０】
0006034040.tif 000011
【図１１】
0006034040.tif 000012
【図１２】
0006034040.tif 000013
【図１３】
0006034040.tif 000014
【図１４】
0006034040.tif 000015
【図１５】
0006034040.tif 000016
【図１６】
0006034040.tif 000017
【図１７】
0006034040.tif 000018
【図１８】
0006034040.tif 000019
【図１９】
0006034040.tif 000020
【図２０】
0006034040.tif 000021
【図２１】
0006034040.tif 000022
【図２２】
0006034040.tif 000023
【図２３】
0006034040.tif 000024
【図２４】
0006034040.tif 000025